(57)【特許請求の範囲】
【請求項１】
３相入力交流電源を直流に整流する順変換手段と、前記順変換手段からの出力電源を交流に変換する逆変換手段と、制御信号出力手段を有しこの制御信号出力手段からの可変電圧および可変周波数に係る指令信号を増幅器で増幅して前記逆変換手段に出力する逆変換器制御手段とを有する電源供給回路を備えているとともに、空気調和機に配備された冷媒回路の圧縮機吐出側の高圧圧力検出手段で検出された冷媒の高圧圧力に基づいて、前記電源供給回路により前記圧縮機を駆動制御する制御装置において、前記増幅器を出力遮断機能付き電流増幅手段で構成し、前記高圧圧力検出手段で検出された冷媒の高圧圧力が高圧異常状態に係る所定値を超えたとき、前記出力遮断機能付き電流増幅手段により前記制御信号出力手段からの指令信号を遮断して前記圧縮機への電源供給を停止させるようにしたことを特徴とする空気調和機の制御装置。
【発明の詳細な説明】
【０００１】
【発明の属する技術分野】
本発明は、空気調和機の制御装置に係り、特に、圧縮機吐出側の高圧圧力が異常となったときに圧縮機を安全かつ確実に停止させる制御方式に関するものである。
【０００２】
【従来の技術】
インバータにより圧縮機を駆動する空気調和機では、何らかの異常状態が発生すると、圧縮機吐出側冷媒の高圧圧力が異常に上昇してしまうおそれがある。
そこで、このような課題を解決するために、例えば図１４に示したような空気調和機（三菱電機製で型式ＰＵＲＹ−２５０Ｍ−Ａ）の制御装置が開発されている。
図において、１は室外機、２は室内機、３は圧縮機、４は室外機熱交換器、５は室内機熱交換器、６は絞り装置、７は室外機１と室内機２を接続する冷媒配管、８は３相入力交流電源を直流に整流する順変換手段、９は順変換手段８からの出力電圧を交流に変換する逆変換手段、１０は逆変換手段９に可変電圧および可変周波数に係る指令信号を出力する逆変換器制御手段、１１は圧縮機１吐出側の高圧圧力を検出する高圧圧力検出手段、１７は順変換手段８からの脈動を含んだ電圧波形を平坦な直流電圧に変換する平滑手段、１３は電源投入時に平滑手段１７への充電電流を制限する突入電流防止手段、２０はソフトウェア処理にて逆変換手段９への制御信号を演算し出力するマイコン、２１は３相入力交流電源である。
【０００３】
上記した構成の従来装置においては、高圧圧力検出手段１１からの圧力信号をマイコン２０に入力している間に圧縮機３吐出側の高圧圧力が異常と考えられる所定値以上となったとき、マイコン２０内でソフトウェアの機能により高圧圧力の異常状態を判定し、逆変換器制御手段１０からの制御信号出力をソフトウェア処理によって停止させる。これにより、逆変換手段９への出力が停止され、その結果、圧縮機３を停止させるようになっている。
【０００４】
【発明が解決しようとする課題】
従来の空気調和機の制御装置は上記のように構成されているので、以下のような課題が内在していた。
すなわち、高圧圧力異常状態の判定処理およびインバータ制御信号の出力停止処理がマイコン２０内のソフトウェアの機能によって行われていたため、外来ノイズなどの影響により、高圧圧力検出手段１１やマイコン２０自体の誤動作による圧縮機３の誤停止、あるいは停止遅れなどを生じるおそれがあった。
【０００５】
【課題を解決するための手段】
本発明は以上のような従来技術の課題を解決するためになされたものであって、３相入力交流電源を直流に整流する順変換手段と、順変換手段からの出力電源を交流に変換する逆変換手段と、制御信号出力手段を有しこの制御信号出力手段からの可変電圧および可変周波数に係る指令信号を増幅器で増幅して逆変換手段に出力する逆変換器制御手段とを有する電源供給回路を備えているとともに、空気調和機に配備された冷媒回路の圧縮機吐出側の高圧圧力検出手段で検出された冷媒の高圧圧力に基づいて、電源供給回路により圧縮機を駆動制御する制御装置において、増幅器を出力遮断機能付き電流増幅手段で構成し、高圧圧力検出手段で検出された冷媒の高圧圧力が高圧異常状態に係る所定値を超えたとき、出力遮断機能付き電流増幅手段により制御信号出力手段からの指令信号を遮断して圧縮機への電源供給を停止させるようにしたものである。
【０００８】
【発明の実施の形態】
発明の実施の形態１．
図１は本発明の請求項１に対応する空気調和機の制御装置の回路ブロック図である。図において、１は室外機、２は室内機、３は圧縮機、４は室外機熱交換器、５は室内機熱交換器、６は絞り装置、７は室外機１と室内機２を接続して冷媒回路を成す冷媒配管、８は３相入力交流電源２１を直流に整流する順変換手段、９は順変換手段８からの出力電源を交流に変換する逆変換手段、１０は可変電圧および可変周波数に係る指令信号を逆変換手段９へ出力する逆変換器制御手段、１１は圧縮機１吐出側の高圧圧力を検出する圧力スイッチ式の高圧圧力検出手段、１２は３相入力交流電源２１と順変換手段８の間に設けた開閉手段、１３は開閉手段１２の３個の内いずれか２個に並列に設けた突入電流防止手段、１６は例えばマイコンなどから成る制御信号出力手段、１７は順変換手段８からの脈動を含んだ電圧波形を平坦な直流電圧に変換する平滑手段、２２は順変換手段８と逆変換手段９と逆変換器制御手段１０などから成る電源供給回路である。
ここで、前記の突入電流防止手段１３は電源投入時に平滑手段１７への充電電流を制限するようになっている。また、開閉手段１２は、動作特性、部品寿命、耐久性に優れた信頼性の高い機械式の開閉機構を採用してあり、３相入力交流電源２１からの電源線３本に対しそれぞれ１個づつの計３個が配備されている。また、高圧圧力検出手段１１からの駆動用電源線が各開閉手段１２にそれぞれ接続されている。
【０００９】
この実施形態１の制御装置では、圧縮機３吐出側の高圧圧力が異常状態に係る所定値（圧力スイッチ用として予め高圧圧力検出手段１１に機械的に設定されている値。以下の各実施形態においても同じ）以上となったとき、高圧圧力検出手段１１からの駆動電源が開閉手段１２に供給されて開閉手段１２を開路させることにより、当該制御装置へ電源を供給する電源供給回路２２内のある構成部分を機械的に遮断する。これにより、逆変換手段９への出力が停止される。その結果、圧縮機３を安全かつ確実に停止させることができる。
【００１０】
すなわち、この制御方式によれば、順変換手段８と逆変換手段９の間に平滑手段１７を設けた装置において必要であった、開閉手段１２と突入電流防止手段１３による突入電流防止回路を利用することで、目的を達成できたのである。
【００１１】
発明の実施の形態２．
図２は請求項１に対応する空気調和機の制御装置の回路ブロック図である。図において、１は室外機、２は室内機、３は圧縮機、４は室外機熱交換器、５は室内機熱交換器、６は絞り装置、７は室外機１と室内機２を接続して冷媒回路を成す冷媒配管、８は３相入力交流電源２１を直流に整流する順変換手段、９は順変換手段８からの出力電源を交流に変換する逆変換手段、１０は可変電圧および可変周波数に係る指令信号を逆変換手段９へ出力する逆変換器制御手段、１１は圧縮機１吐出側の高圧圧力を検出する圧力スイッチ式の高圧圧力検出手段、１２は３相入力交流電源２１と順変換手段８間の電源線３本に対し計２個設けた開閉手段、１６は制御信号出力手段、１７は順変換手段８からの脈動を含んだ電圧波形を平坦な直流電圧に変換する平滑手段、１３は２個の開閉手段１２にそれぞれ並列に設けられ電源投入時に平滑手段１７への充電電流を制限する突入電流防止手段、２２は順変換手段８と逆変換手段９と逆変換器制御手段１０などから成る電源供給回路である。
前記の各開閉手段１２は、動作特性、部品寿命、耐久性に優れた信頼性の高い機械式の開閉機構から成っている。また、高圧圧力検出手段１１からの駆動用電源線が各開閉手段１２にそれぞれ接続されている。
【００１２】
この実施形態２の制御装置では、高圧圧力が所定値以上となったとき高圧圧力検出手段１１からの駆動電源が開閉手段１２に供給されて開閉手段１２を開路させることにより、当該制御装置への電源供給が機械的に遮断される。これにより、逆変換手段９への出力が停止される。その結果、圧縮機３を安全かつ確実に停止させることができる。
【００１３】
すなわち、この制御方式によれば、順変換手段８と逆変換手段９の間に平滑手段１７を設けた機器で必要だった、開閉手段１２と突入電流防止手段１３による突入電流防止回路を利用することで、目的を達成できた。
また、実施形態１と比べて、開閉手段１２を３個から２個に減らすことができるので、コストダウンおよび装置内の省スペース化を実現できる。
【００１４】
発明の実施の形態３．
図３は請求項１に対応する空気調和機の制御装置の回路ブロック図である。図において、１は室外機、２は室内機、３は圧縮機、４は室外機熱交換器、５は室内機熱交換器、６は絞り装置、７は室外機１と室内機２を接続して冷媒回路を成す冷媒配管、８は３相入力交流電源２１を直流に整流する順変換手段、９は順変換手段８からの出力電源を交流に変換する逆変換手段、１０は可変電圧および可変周波数に係る指令信号を逆変換手段９へ出力する逆変換器制御手段、１１は圧縮機１吐出側の高圧圧力を検出する圧力スイッチ式の高圧圧力検出手段、１２は３相入力交流電源２１と順変換手段８間の電源線３本に対し１個設けた開閉手段、１６は制御信号出力手段、１７は順変換手段８からの脈動を含んだ電圧波形を平坦な直流電圧に変換する平滑手段、１３は開閉手段１２の２個の内いずれか１個に並列に設けられ電源投入時に平滑手段１７への充電電流を制限する突入電流防止手段、２２は順変換手段８と逆変換手段９と逆変換器制御手段１０などから成る電源供給回路である。
前記の各開閉手段１２は、動作特性、部品寿命、耐久性に優れた信頼性の高い機械式の開閉機構から成っている。また、高圧圧力検出手段１１からの駆動用電源線が各開閉手段１２に接続されている。
【００１５】
この実施形態３の制御装置では、高圧圧力が所定値以上となったとき高圧圧力検出手段１１からの駆動電源が開閉手段１２に供給されて開閉手段１２を開路させることにより、当該制御装置への電源供給が機械的に遮断される。従って、逆変換手段９への出力が停止されるので、圧縮機３を安全かつ確実に停止させることができる。
【００１６】
すなわち、この制御方式によれば、順変換手段８と逆変換手段９の間に平滑手段１７を設けた機器で必要だった、開閉手段１２と突入電流防止手段１３による突入電流防止回路を利用することで、目的を達成できた。
また、実施形態１と比べて、開閉手段１２を３個に対し２個、突入電流防止手段１３が２個に対し１個と減らすことができるので、更にコストダウン、省スペース化を実現できる。
【００１７】
発明の実施の形態４．
図４は請求項１に対応する空気調和機の制御装置の回路ブロック図である。図において、１は室外機、２は室内機、３は圧縮機、４は室外機熱交換器、５は室内機熱交換器、６は絞り装置、７は室外機１と室内機２を接続して冷媒回路を成す冷媒配管、８は３相入力交流電源２１を直流に整流する順変換手段、９は順変換手段８からの出力電源を交流に変換する逆変換手段、１０は可変電圧および可変周波数に係る指令信号を逆変換手段９へ出力する逆変換器制御手段、１１は圧縮機１吐出側の高圧圧力を検出する圧力スイッチ式の高圧圧力検出手段、１２は順変換手段８と平滑手段１７の間に設けた開閉手段、１６は制御信号出力手段、１７は順変換手段８からの脈動を含んだ電圧波形を平坦な直流電圧に変換する平滑手段、１３は開閉手段１２と並列に設けられ電源投入時に平滑手段１７への充電電流を制限する突入電流防止手段、２２は順変換手段８と逆変換手段９と逆変換器制御手段１０などから成る電源供給回路である。
前記の開閉手段１２は、動作特性、部品寿命、耐久性に優れた信頼性の高い機械式の開閉機構から成っている。また、高圧圧力検出手段１１からの駆動用電源線が各開閉手段１２に接続されている。
【００１８】
この実施形態４の制御装置では、高圧圧力が所定値以上となったときに高圧圧力検出手段１１からの駆動電源が開閉手段１２に供給されて開閉手段１２を開路させることにより、逆変換手段９への入力が遮断される。その結果、圧縮機３を安全かつ確実に停止させることができる。
【００１９】
すなわち、この制御方式によれば、順変換手段８と逆変換手段９の間に平滑手段１７を設けた機器で必要だった、開閉手段１２と突入電流防止手段１３による突入電流防止回路を利用することで、目的を達成できた。
また、実施形態１と比べて、開閉手段１２が３個に対し１個、突入電流防止手段１３が２個に対し１個と減らすことができるので、より一層のコストダウン、省スペース化が実現できる。
【００２０】
発明の実施の形態５．
図５は請求項１に対応する空気調和機の制御装置の回路ブロック図である。図において、１は室外機、２は室内機、３は圧縮機、４は室外機熱交換器、５は室内機熱交換器、６は絞り装置、７は室外機１と室内機２を接続して冷媒回路を成す冷媒配管、８は３相入力交流電源２１を直流に整流する順変換手段、９は順変換手段８からの出力電源を交流に変換する逆変換手段、１０は可変電圧および可変周波数に係る指令信号を逆変換手段９へ出力する逆変換器制御手段、１１は圧縮機１吐出側の高圧圧力を検出する圧力スイッチ式の高圧圧力検出手段、１２は逆変換手段９と圧縮機３間の電源線３本に対しそれぞれ１個づつ計３個で配備された開閉手段、１６は制御信号出力手段、１７は順変換手段８からの脈動を含んだ電圧波形を平坦な直流電圧に変換する平滑手段、１３は順変換手段８と逆変換手段９の間に設けられ電源投入時に平滑手段１７への充電電流を制限する突入電流防止手段、２２は順変換手段８と逆変換手段９と逆変換器制御手段１０などから成る電源供給回路である。
前記の各開閉手段１２は、動作特性、部品寿命、耐久性に優れた信頼性の高い機械式の開閉機構から成っている。また、高圧圧力検出手段１１からの駆動用電源線が前記の各開閉手段１２にそれぞれ接続されている。
【００２１】
この実施形態５の制御装置によれば、高圧圧力が所定値以上となったときに高圧圧力検出手段１１からの駆動電源が開閉手段１２に供給されて開閉手段１２を開路させることにより、圧縮機３への電源入力が遮断される。その結果、圧縮機３を安全かつ確実に停止させることができる。
【００２２】
発明の実施の形態６．
図６は請求項２に対応する空気調和機の制御装置の回路ブロック図である。図において、１は室外機、２は室内機、３は圧縮機、４は室外機熱交換器、５は室内機熱交換器、６は絞り装置、７は室外機１と室内機２を接続して冷媒回路を成す冷媒配管、８は３相入力交流電源２１を直流に整流する順変換手段、９は順変換手段８からの出力電源を交流に変換する逆変換手段、１０は可変電圧および可変周波数に係る指令信号を逆変換手段９へ出力する逆変換器制御手段、１１は圧縮機１吐出側の高圧圧力を検出する圧力スイッチ式の高圧圧力検出手段、１６は制御信号出力手段、１４は逆変換器制御手段１０内の制御信号出力手段１６とフォトカプラ２３の間に設けた出力遮断機能付き電流増幅手段、１７は順変換手段８からの脈動を含んだ電圧波形を平坦な直流電圧に変換する平滑手段、１３は順変換手段８と逆変換手段９の間に設けられ電源投入時に平滑手段１７への充電電流を制限する突入電流防止手段、２２は順変換手段８と逆変換手段９と逆変換器制御手段１０などから成る電源供給回路である。
前記の出力遮断機能付き電流増幅手段１４は、動作特性、部品寿命、耐久性に優れた信頼性の高い電気部品から成っている。また、高圧圧力検出手段１１からの駆動用信号線（制御機器を保護するための低電圧の電源を供給するもの。以下同じ）が出力遮断機能付き電流増幅手段１４に接続されている。
【００２３】
この実施形態６の制御装置によれば、高圧圧力検出手段１１で検出された冷媒の高圧圧力が高圧異常状態に係る所定値を超えたとき高圧圧力検出手段１１からのリセット信号が出力遮断機能付き電流増幅手段１４へ入力されることにより、出力遮断機能付き電流増幅手段１４が制御信号出力手段１６からフォトカプラ２３への指令信号を遮断する。従って、圧縮機３への電源供給が停止される。その結果、圧縮機３を安全かつ確実に停止させることができる。
【００２４】
発明の実施の形態７．
図７は請求項１に対応する空気調和機の制御装置の回路ブロック図である。図において、１は室外機、２は室内機、３は圧縮機、４は室外機熱交換器、５は室内機熱交換器、６は絞り装置、７は室外機１と室内機２を接続して冷媒回路を成す冷媒配管、８は３相入力交流電源２１を直流に整流する順変換手段、９は順変換手段８からの出力電源を交流に変換する逆変換手段、１０は可変電圧および可変周波数に係る指令信号を逆変換手段９へ出力する逆変換器制御手段、１１は圧縮機１吐出側の高圧圧力を検出する圧力スイッチ式の高圧圧力検出手段、１２は逆変換器制御手段１０内の制御用電源２４とフォトカプラ２３の間に設けた開閉手段、１６は制御信号出力手段、１７は順変換手段８からの脈動を含んだ電圧波形を平坦な直流電圧に変換する平滑手段、１３は順変換手段８と逆変換手段９の間に設けられ電源投入時に平滑手段１７への充電電流を制限する突入電流防止手段、２２は順変換手段８と逆変換手段９と逆変換器制御手段１０などから成る電源供給回路である。
前記の開閉手段１２は、動作特性、部品寿命、耐久性に優れた信頼性の高い機械式の開閉機構から成っている。また、高圧圧力検出手段１１からの駆動用信号線が開閉手段１２に接続されている。
【００２５】
この実施形態７の制御装置によれば、高圧圧力が所定値以上となったときに高圧圧力検出手段１１からの駆動信号が開閉手段１２に入力されて開閉手段１２を開路させることにより、制御信号出力手段１６からの制御信号の出力が遮断される。これにより、逆変換手段９への出力を停止させることができる。その結果、圧縮機３を安全かつ確実に停止させることができる。
【００２６】
発明の実施の形態８．
図８は請求項１に対応する空気調和機の制御装置の回路ブロック図である。図において、１は室外機、２は室内機、３は圧縮機、４は室外機熱交換器、５は室内機熱交換器、６は絞り装置、７は室外機１と室内機２を接続して冷媒回路を成す冷媒配管、８は３相入力交流電源２１を直流に整流する順変換手段、９は順変換手段８からの出力電源を交流に変換する逆変換手段、１０は可変電圧および可変周波数に係る指令信号を逆変換手段９へ出力する逆変換器制御手段、１１は圧縮機１吐出側の高圧圧力を検出する圧力スイッチ式の高圧圧力検出手段、１２は逆変換器制御手段１０内におけるフォトカプラ２３の発光素子と並列に設けた開閉手段、１６は制御信号出力手段、１７は順変換手段８からの脈動を含んだ電圧波形を平坦な直流電圧に変換する平滑手段、１３は順変換手段８と逆変換手段９の間に設けられ電源投入時に平滑手段１７への充電電流を制限する突入電流防止手段、２２は順変換手段８と逆変換手段９と逆変換器制御手段１０などから成る電源供給回路である。
前記の開閉手段１２は、動作特性、部品寿命、耐久性に優れた信頼性の高い機械式の開閉機構から成っている。また、高圧圧力検出手段１１からの駆動用信号線が開閉手段１２に接続されている。
【００２７】
この実施形態８の制御装置によれば、高圧圧力が所定値以上となったとき高圧圧力検出手段１１からの駆動信号が開閉手段１２に入力されて開閉手段１２を閉路させることにより、フォトカプラ２３への電流をバイパスさせて制御信号出力手段１６からの制御信号の出力を遮断することができる。これにより、逆変換手段９への出力を停止される。その結果、圧縮機３を安全かつ確実に停止させることができる。
【００２８】
発明の実施の形態９．
図９は請求項１に対応する空気調和機の制御装置の回路ブロック図である。図において、１は室外機、２は室内機、３は圧縮機、４は室外機熱交換器、５は室内機熱交換器、６は絞り装置、７は室外機１と室内機２を接続して冷媒回路を成す冷媒配管、８は３相入力交流電源２１を直流に整流する順変換手段、９は順変換手段８からの出力電源を交流に変換する逆変換手段、１０は可変電圧および可変周波数に係る指令信号を逆変換手段９へ出力する逆変換器制御手段、１１は圧縮機１吐出側の高圧圧力を検出する圧力スイッチ式の高圧圧力検出手段、１２は逆変換器制御手段１０内におけるフォトカプラ２３の発光素子とマイコン２５の間に設けた開閉手段、１６は制御信号出力手段、１７は順変換手段８からの脈動を含んだ電圧波形を平坦な直流電圧に変換する平滑手段、１３は順変換手段８と逆変換手段９の間に設けられ電源投入時に平滑手段１７への充電電流を制限する突入電流防止手段、２２は順変換手段８と逆変換手段９と逆変換器制御手段１０などから成る電源供給回路である。
前記の開閉手段１２は、動作特性、部品寿命、耐久性に優れた信頼性の高い機械式の開閉機構から成っている。また、高圧圧力検出手段１１からの駆動用信号線が開閉手段１２に接続されている。
【００２９】
この実施形態９の制御装置によれば、高圧圧力が所定値以上となったときに高圧圧力検出手段１１からの駆動信号が開閉手段１２に入力されて開閉手段１２を開路させることにより、制御信号出力手段１６からの制御信号出力が遮断される。これにより、逆変換手段９への出力を停止される。その結果、圧縮機３を安全かつ確実に停止させることができる。
【００３０】
発明の実施の形態１０．
図１０は請求項３に対応する空気調和機の制御装置の回路ブロック図である。図において、１は室外機、２は室内機、３は圧縮機、４は室外機熱交換器、５は室内機熱交換器、６は絞り装置、７は室外機１と室内機２を接続して冷媒回路を成す冷媒配管、８は３相入力交流電源２１を直流に整流する順変換手段、９は順変換手段８からの出力電源を交流に変換する逆変換手段、１０は可変電圧および可変周波数に係る指令信号を逆変換手段９へ出力する逆変換器制御手段、１１は圧縮機１吐出側の高圧圧力を検出する圧力スイッチ式の高圧圧力検出手段、１２は３相入力交流電源２１と順変換手段８の間に設けた開閉手段、１６は制御信号出力手段、１７は順変換手段８からの脈動を含んだ電圧波形を平坦な直流電圧に変換する平滑手段、１３は順変換手段８と逆変換手段９の間に設けられ電源投入時に平滑手段１７への充電電流を制限する突入電流防止手段、１８は逆変換器制御手段１０内に設けたリセット機能付き制御信号出力手段、２２は順変換手段８と逆変換手段９と逆変換器制御手段１０などから成る電源供給回路である。
前記のリセット機能付き制御信号出力手段１８は動作特性、部品寿命、耐久性に優れた信頼性の高いものである。また、高圧圧力検出手段１１からの駆動用信号線がリセット機能付き制御信号出力手段１８に接続されている。
【００３１】
この実施形態１０の制御装置において、高圧圧力検出手段１１で検出された冷媒の高圧圧力が高圧異常状態に係る所定値を超えたとき高圧圧力検出手段１１からのリセット信号が入力されることにより、リセット機能付き制御信号出力手段１８は自身の指令信号出力を停止する。これによって、逆変換手段９への出力が停止される。その結果、圧縮機３を安全かつ確実に、加えてリセット可能に停止させることができる。そうして、リセット操作後に圧縮機３を再起動させて正常であれば、運転を続行させることもできる。
【００３２】
発明の実施の形態１１．
図１１は請求項１に対応する空気調和機の制御装置の回路ブロック図である。図において、１は室外機、２は室内機、３は圧縮機、４は室外機熱交換器、５は室内機熱交換器、６は絞り装置、７は室外機１と室内機２を接続して冷媒回路を成す冷媒配管、８は３相入力交流電源２１を直流に整流する順変換手段、９は順変換手段８からの出力電源を交流に変換する逆変換手段、１０は可変電圧および可変周波数に係る指令信号を逆変換手段９へ出力する逆変換器制御手段、１１は圧縮機１吐出側の高圧圧力を検出する圧力スイッチ式の高圧圧力検出手段、１２は逆変換器制御手段１０内におけるトランジスタ２６，２７と逆変換手段９内におけるトランジスタ・ダイオードセット２９とを結ぶ信号配線と接地２８の間に設けた開閉手段、１６は制御信号出力手段、１７は順変換手段８からの脈動を含んだ電圧波形を平坦な直流電圧に変換する平滑手段、１３は順変換手段８と逆変換手段９の間に設けられ電源投入時に平滑手段１７への充電電流を制限する突入電流防止手段、２２は順変換手段８と逆変換手段９と逆変換器制御手段１０などから成る電源供給回路である。
前記の開閉手段１２は、動作特性、部品寿命、耐久性に優れた信頼性の高い機械式の開閉機構から成っている。また、高圧圧力検出手段１１からの駆動用信号線が開閉手段１２に接続されている。
【００３３】
この実施形態１１の制御装置によれば、高圧圧力が所定値以上となったとき高圧圧力検出手段１１からの駆動信号が開閉手段１２に入力されて開閉手段１２を閉路させることにより、逆変換器制御手段１０からの制御信号出力が遮断される。これにより、逆変換手段９への出力が停止される。その結果、圧縮機３を安全かつ確実に停止させることができる。
【００３４】
発明の実施の形態１２．
図１２は請求項１に対応する空気調和機の制御装置の回路ブロック図である。図において、１は室外機、２は室内機、３は圧縮機、４は室外機熱交換器、５は室内機熱交換器、６は絞り装置、７は室外機１と室内機２を接続して冷媒回路を成す冷媒配管、８は３相入力交流電源２１を直流に整流する順変換手段、９は順変換手段８からの出力電源を交流に変換する逆変換手段、１０は可変電圧および可変周波数に係る指令信号を逆変換手段９へ出力する逆変換器制御手段、１１は圧縮機１吐出側の高圧圧力を検出する圧力スイッチ式の高圧圧力検出手段、１２は逆変換器制御手段１０内において逆変換手段９と接続された２本の信号配線間に並列に設けた開閉手段、１６は制御信号出力手段、１７は順変換手段８からの脈動を含んだ電圧波形を平坦な直流電圧に変換する平滑手段、１３は順変換手段８と逆変換手段９の間に設けられ電源投入時に平滑手段１７への充電電流を制限する突入電流防止手段、２２は順変換手段８と逆変換手段９と逆変換器制御手段１０などから成る電源供給回路である。
前記の開閉手段１２は、動作特性、部品寿命、耐久性に優れた信頼性の高い機械式の開閉機構から成っている。また、高圧圧力検出手段１１からの駆動用信号線が開閉手段１２に接続されている。
【００３５】
この実施形態１２の制御装置によれば、高圧圧力が所定値以上となったとき高圧圧力検出手段１１からの駆動信号が開閉手段１２に入力されて開閉手段１２を閉路させることにより、逆変換器制御手段１０からの制御信号出力が遮断される。従って、逆変換手段９への出力が停止される。その結果、圧縮機３を安全かつ確実に停止させることができる。
【００３６】
発明の実施の形態１３．
図１３は請求項１に対応する空気調和機の制御装置の回路ブロック図である。図において、１は室外機、２は室内機、３は圧縮機、４は室外機熱交換器、５は室内機熱交換器、６は絞り装置、７は室外機１と室内機２を接続して冷媒回路を成す冷媒配管、８は３相入力交流電源２１を直流に整流する順変換手段、９は順変換手段８からの出力電源を交流に変換する逆変換手段、１０は可変電圧および可変周波数に係る指令信号を逆変換手段９へ出力する逆変換器制御手段、１１は圧縮機１吐出側の高圧圧力を検出する圧力スイッチ式の高圧圧力検出手段、１２は３相入力交流電源２１と順変換手段８の間に設けた開閉手段、１６は制御信号出力手段、１７は順変換手段８からの脈動を含んだ電圧波形を平坦な直流電圧に変換する平滑手段、１３は平滑手段１７と逆変換手段９の間に設けられ電源投入時に平滑手段１７への充電電流を制限する突入電流防止手段、２２は順変換手段８と逆変換手段９と逆変換器制御手段１０などから成る電源供給回路である。
前記の開閉手段１２は、動作特性、部品寿命、耐久性に優れた信頼性の高い機械式の開閉機構から成っている。また、高圧圧力検出手段１１からの駆動用電源線が開閉手段１２に接続されている。
【００３７】
この実施形態１３の制御装置によれば、高圧圧力が所定値以上となったとき高圧圧力検出手段１１からの駆動信号が開閉手段１２に供給されて開閉手段１２を開路させることにより、逆変換手段９への電源入力が遮断される。その結果、圧縮機３を安全かつ確実に停止させることができる。
【００３８】
【発明の効果】
以上詳述した通り、本発明は以下のような効果を奏する。
本発明によれば、圧縮機吐出側の冷媒の高圧圧力が異常状態になったとき、出力遮断機能付き電流増幅手段により制御信号出力手段からの指令信号を遮断して圧縮機への電源供給を停止させるようにしてあるから、圧縮機を安全、かつ、確実に停止することができる。
【００３９】
更に、本発明によれば、圧縮機吐出側の冷媒の高圧圧力が異常状態になったとき、リセット機能付き制御信号出力手段により制御信号出力手段からの指令信号を遮断して圧縮機への電源供給をリセット可能に停止させるようにしてあるので、圧縮機を安全、かつ、確実に停止することができる。そうして、リセット操作後に再起動させて正常であれば、運転を続行させることも可能である。
【図面の簡単な説明】
【図１】  本発明における実施の形態１の構成図である。
【図２】  本発明における実施の形態２の構成図である。
【図３】  本発明における実施の形態３の構成図である。
【図４】  本発明における実施の形態４の構成図である。
【図５】  本発明における実施の形態５の構成図である。
【図６】  本発明における実施の形態６の構成図である。
【図７】  本発明における実施の形態７の構成図である。
【図８】  本発明における実施の形態８の構成図である。
【図９】  本発明における実施の形態９の構成図である。
【図１０】  本発明における実施の形態１０の構成図である。
【図１１】  本発明における実施の形態１１の構成図である。
【図１２】  本発明における実施の形態１２の構成図である。
【図１３】  本発明における実施の形態１３の構成図である。
【図１４】  従来例の構成図である。
【符号の説明】
３  圧縮機、８  順変換手段、９  逆変換手段、１０  逆変換器制御手段、１１  高圧圧力検出手段、１２  開閉手段、１４  出力遮断機能付き電流増幅手段、１６  制御信号出力手段、１８  リセット機能付き制御信号出力手段、２１  ３相入力交流電源、２２  電源供給回路。
【図１】
0004193078.tif 000002
【図２】
0004193078.tif 000003
【図３】
0004193078.tif 000004
【図４】
0004193078.tif 000005
【図５】
0004193078.tif 000006
【図６】
0004193078.tif 000007
【図７】
0004193078.tif 000008
【図８】
0004193078.tif 000009
【図９】
0004193078.tif 000010
【図１０】
0004193078.tif 000011
【図１１】
0004193078.tif 000012
【図１２】
0004193078.tif 000013
【図１３】
0004193078.tif 000014
【図１４】
0004193078.tif 000015